(57)【要約】【課題】どのようなコンテンツが取得可能であるかを音声によってユーザが簡単に知ることができる。【解決手段】端末（１０）は、複数のコンテンツ（Ｃ）と、各コンテンツの要約情報（ＣＳ）とを取得する取得部（１１０）と、取得した複数のコンテンツの要約情報を音声出力する要約提示部（１３０）と、音声出力した前記要約情報に基づいて、前記コンテンツを指定するユーザ入力を受付ける選択受付部（１５０）と、選択を受付けたコンテンツを提示する詳細提示部（１６０）と、を備える。【選択図】図１
2020184105.tif 000002
【特許請求の範囲】
【請求項１】
ユーザにコンテンツを提示する電子機器を制御する制御装置であって、
複数のコンテンツと、各コンテンツの要約情報とを取得する取得部と、
取得した複数のコンテンツの要約情報を音声出力する要約提示部と、
音声出力した前記要約情報に基づいて、前記コンテンツを指定するユーザ入力を受付ける選択受付部と、
選択を受付けたコンテンツを提示する詳細提示部と、を備える制御装置。
【請求項２】
前記要約提示部は、前記要約情報を音声出力するのと略同時に、当該要約情報をリスト表示する、請求項１に記載の制御装置。
【請求項３】
前記選択受付部は、前記コンテンツを一つまたは複数指定するユーザ入力を受付ける、請求項１または２に記載の制御装置。
【請求項４】
前記詳細提示部は、前記選択受付部が受付けた順に、前記コンテンツを提示する請求項３に記載の制御装置。
【請求項５】
前記要約情報は、前記コンテンツの概要を示す文章またはキーワードである、請求項１から４のいずれか１項に記載の制御装置。
【請求項６】
ユーザにコンテンツを提示する電子機器の制御方法であって、
複数のコンテンツと、各コンテンツの要約情報とを取得する取得ステップと、
取得した複数のコンテンツの要約情報を音声出力する要約情報提示ステップと、
音声出力した前記要約情報に基づいて、前記コンテンツを指定するユーザ入力を受付ける選択受付ステップと、
選択を受付けたコンテンツを提示する詳細提示ステップと、を含む制御方法。
【請求項７】
請求項１から５のいずれか１項に記載の制御装置としてコンピュータを機能させるための制御プログラムであって、コンピュータを上記取得部、要約提示部、選択受付部、および詳細提示部の各部として機能させるための制御プログラム。
【請求項８】
請求項７に記載の制御プログラムを記録した、コンピュータ読み取り可能な記録媒体。
【請求項９】
請求項１から５のいずれか１項に記載の制御装置と、少なくとも１つのスピーカと、少なくとも１つの表示装置と、少なくとも１つの記憶装置とを備える電子機器。
【発明の詳細な説明】
【技術分野】
【０００１】
本発明は、ユーザによって選択されたコンテンツを提示する電子機器等に関する。
【背景技術】
【０００２】
特許文献１には、インターネットに接続してニュースを取り込むニュース収集手段、取り込まれたニュースを保存するニュースデータベース、および一般的な会話に用いられる問いおよび回答の集合を保存する一般会話データベースを少なくとも含む会話データベースを備え、さらに、会話エンジンを備え、当該会話エンジンは、音声認識装置により認識されたユーザの発話からキーワードを抽出し、キーワードによりニュースデータベースおよび会話データベースの少なくとも一つを検索し、ヒットしたコンテンツを応答として出力する対話型情報システムが開示されている。
【先行技術文献】
【特許文献】
【０００３】
【特許文献１】特開２００６―１７１７１９号公報
【発明の概要】
【発明が解決しようとする課題】
【０００４】
しかしながら、特許文献１に開示されている技術では、ユーザは１つの情報コンテンツが自らにとって重要な情報かどうかを選別するため、複数の文章から構成される音声情報を受取り、解釈する必要が有る。受取りと解釈を行うとき、ユーザは、音声で提供される情報コンテンツを聞き続ける必要が有る。ユーザは、いつまで聞き続ければよいのか、換言すれば羅列的な（シリアルな）音声情報の提示がいつ終わるのか、終わりが分からないという心理的負担を抱えながら聞き続ける必要が有る。
【０００５】
また、対話システムの処理によりヒットしたコンテンツのみが提示されるため、略同時に提示される複数の情報コンテンツから自らにとって重要な情報を選別することはできない。ユーザは対話中、対話システムから他のコンテンツを提示されるまで、他にどのようなコンテンツが有るのか不明である。
【０００６】
本発明の一態様は、どのようなコンテンツが取得可能であるかを音声によってユーザが簡単に知ることができる電子機器等を実現することを目的とする。
【課題を解決するための手段】
【０００７】
上記の課題を解決するために、本発明の一態様に係る制御装置は、ユーザにコンテンツを提示する電子機器を制御する制御装置であって、複数のコンテンツと、各コンテンツの要約情報とを取得する取得部と、取得した複数のコンテンツの要約情報を音声出力する要約提示部と、音声出力した前記要約情報に基づいて、前記コンテンツを指定するユーザ入力を受付ける選択受付部と、選択を受付けたコンテンツを提示する詳細提示部と、を備える。
【発明の効果】
【０００８】
本発明の一態様によれば、どのようなコンテンツが取得可能であるかを音声によってユーザは簡単に知ることができる。それゆえ、ユーザは取得可能な複数のコンテンツの全ての情報を取得する必要が無いため、ユーザへの負担を限定することができる。
【図面の簡単な説明】
【０００９】
【図１】本発明の実施形態１に係るコンテンツ提示システムの機能ブロック図である。
【図２】本発明の実施形態１に係る端末の外観図である。
【図３】本発明の実施形態１に係る要約情報提示動作が実行されるときの、端末の音声出力および表示画面の遷移の例を示す、説明図である。
【図４】本発明の実施形態１に係るコンテンツ提示動作が実行されるときの、端末の画面を示す、外観図である。
【図５】本発明の実施形態１に係る要約情報提示動作のシーケンス図である。
【図６】本発明の実施形態２に係る要約情報提示動作が実行されるときの、端末の音声出力および表示画面の遷移の例を示す、説明図説明である。
【発明を実施するための形態】
【００１０】
〔実施形態１〕
以下、本発明の一実施形態について、詳細に説明する。
【００１１】
〔構成〕
図１〜図２を参照して、本発明の実施形態１に係るコンテンツ提示システム１の機能ブロックを説明する。
【００１２】
本発明の実施形態１に係るコンテンツ提示システム１は、コンテンツＤＢ（データベース）３０、配信サーバ２０、および端末１０（電子機器）を含む。
【００１３】
コンテンツＤＢ３０は、１つ以上のコンテンツＣを含む。また、コンテンツＤＢ３０は、配信サーバ２０からの要求に応じて、コンテンツＣを送信する。コンテンツＤＢ３０は典型的には、ニュースコンテンツを有するコンテンツプロバイダのサーバであり、インターネット上に設置されウェブを経由してアクセス可能なものである。しかし、コンテンツは、ニュースに限定されず、天候などの情報であってよい。また、コンテンツは、ニュースや天候など略リアルタイムに配信される新規な情報に限定されず、例えば新聞雑誌等に掲載された過去の情報であってもよい。
【００１４】
コンテンツＣは、コンテンツＣを識別するためのＩＤ番号やＵＲＬ、および後述する（要約処理前は空白である）コンテンツ固有要約情報ＣＳを含む。コンテンツＣは、典型的にはテキストコンテンツであるが、後述するコンテンツ固有要約情報ＣＳを作成可能な種類のコンテンツであればよく、例えば音声コンテンツ、画像コンテンツ、動画コンテンツであってもよい。
【００１５】
配信サーバ２０は、要約部２１０、知名度指数付与部２２０、および配信部２３０を含む。
【００１６】
要約部２１０は、コンテンツＤＢ３０から各コンテンツＣを取得し、各コンテンツＣからコンテンツ固有要約情報ＣＳ（要約情報）を生成する。ここで、コンテンツ固有要約情報ＣＳとは、例えばコンテンツＣの概要を示す文章またはキーワードである。
【００１７】
詳細には、要約部２１０は、６時間おきなど所定のタイミングごとに動作し、コンテンツＤＢから取得可能なコンテンツＣのうち未だコンテンツ固有要約情報ＣＳが生成されていないコンテンツＣから、コンテンツ固有要約情報ＣＳを生成する。未だコンテンツ固有要約情報ＣＳが生成されていない（、または要約情報生成済みの）コンテンツＣのリストは、図示しないＤＢに記録されていてもよい。
【００１８】
コンテンツ固有要約情報ＣＳは、典型的には数文字から１０数文字の文字で構成されるキーワードＫ、および、コンテンツＣの文字数よりも少ない文字数から構成される当該コンテンツの概要Ｓを含む。
【００１９】
各コンテンツＣからコンテンツ固有要約情報ＣＳを生成する技術には、既存のコンテンツＣの一部を抽出する抽出型の要約手法、または抽出したキーワードＫから当該コンテンツＣの概要を説明する新たな文章を生成する生成型の要約手法などがあるが、公知の技術が利用可能である。後述する要約リスト生成動作においてキーワードＫの音声出力のみが行われるように制御装置１００が構成される場合、いずれの要約手法が用いられてもよい。後述する要約リスト生成動作において概要Ｓの表示もまた行われるように制御装置１００が構成される場合、生成型の要約手法を用いる事が望ましい。なお、コンテンツＣが音声コンテンツである場合、公知の技術を利用して、コンテンツ固有要約情報ＣＳが生成される。同様に、画像コンテンツまたは動画コンテンツである場合、それぞれの種類のコンテンツに適した公知の技術を利用して、コンテンツ固有要約情報ＣＳが生成される。
【００２０】
なお、要約部２１０が動作するタイミングは、所定のタイミングごとに限定されない。例えば、要約部２１０は、後述する取得部１１０からの取得要求を受信したときに、未だコンテンツ固有要約情報ＣＳが生成されていないコンテンツＣから、コンテンツ固有要約情報ＣＳを生成してもよい。
【００２１】
知名度指数付与部２２０は、キーワードＫの知名度を示す指数である知名度指数を各コンテンツＣに付与する。具体的には、知名度指数付与部２２０は、配信サーバ２０の外部から、または内部の図示しないＤＢから、キーワードＫの知名度指数を取得することができる。知名度指数付与部２２０は例えば、配信サーバ２０の外部からキーワードＫの検索ヒット数やＳＮＳ（ソーシャルネットワークサービス）上で取り上げられる頻度を取得し、これらに基づいて各キーワードＫの知名度指数を決定し付与してもよい。またあるいは、知名度指数付与部２２０は、コンテンツ提示システム１の複数のユーザの過去の選択入力履歴にもとづいた内部のＤＢから、キーワードＫの知名度指数を取得してもよい。
【００２２】
なお、説明を単純化するため、後述するソート・絞り込み処理において知名度指数はコンテンツＣごとに扱われるものとしている。この場合、コンテンツＣの知名度指数は、当該コンテンツＣが含む全キーワードＫの平均値（加算平均、または乗算平均など、後述する絞り込み処理に応じて適切に選択される平均値）であってよい。
【００２３】
配信部２３０は、所定のタイミングごとに動作し、要約部２１０、または付加的には知名度指数付与部２２０から受信したコンテンツＣのうち未配信のコンテンツＣおよびそのコンテンツ固有要約情報ＣＳを配信する。なお、動作の項において後述するように、端末１０からの明示的な取得要求に応じて配信してもよい。配信済みのコンテンツＣを配信してもよいし、取得要求にコンテンツＣの指定が含まれる場合には、当該指定されたコンテンツを配信してもよい。
【００２４】
端末１０は、制御装置１００、ＵＸ制御部１０１、スピーカ１０２、マイク１０３、タッチパネル１０４（表示装置）、および通信部１０５、を含む。なお、図２に、端末１０の外観を図示する。
【００２５】
ＵＸ制御部１０１は、後述する表現エンジン部１４０から受信する音声データ、および付加的には表示用データに基づいて、スピーカ１０２、および付加的にはタッチパネル１０４を制御し、ユーザへの提示を行う。また、マイク１０３、および付加的にはタッチパネル１０４から入力されるユーザからの操作（選択入力操作）を、選択受付部１５０へ送信する。
【００２６】
スピーカ１０２は、ＵＸ制御部１０１から受信した信号に従い、音声を出力する。
【００２７】
マイク１０３は、ユーザからの音声指示を含む音声を検知し、ＵＸ制御部１０１へ信号を送信する。
【００２８】
タッチパネル１０４は、ＵＸ制御部１０１から受信した信号に従い、タッチパネルディスプレイへの表示を行う。また、タッチパネル１０４が検知したタッチパネル操作に基づいて、ＵＸ制御部１０１へ信号を送信する。
【００２９】
制御装置１００は、取得部１１０、ソート・絞り込み部１２０、要約リスト提示部１３０（要約提示部）、表現エンジン部１４０、選択受付部１５０、および詳細提示部１６０、を含む。
【００３０】
取得部１１０は、配信部２３０から配信されたコンテンツＣを、通信部１０５を経由して取得する。
【００３１】
付加的には、取得部１１０は、受信した各コンテンツＣおよびキーワードＫに対して、ユーザの趣味嗜好を反映してユーザ関心度指数を付与してもよい。具体的には、選択受付部１５０は、選択受付部１５０がユーザからの選択入力を受付けたコンテンツＣのキーワードＫを図示しないＤＢに保存する。選択受付部１５０は、選択した当該ユーザとキーワードＫとの組み合わせごとに、ユーザ関心度指数を付与する。
【００３２】
なお、説明を単純化するため、後述するソート・絞り込み処理においてユーザ関心度指数はコンテンツＣごとに扱われるものとしている。この場合、コンテンツＣのユーザ関心度指数は、当該コンテンツＣが含む全キーワードＫの平均値であってよい。
【００３３】
ソート・絞り込み部１２０は、所定の手続きに従って取得部１１０から受信したコンテンツＣをソートし、絞り込みを行う。また、各コンテンツＣのキーワードＫの絞り込みを行う。
【００３４】
要約リスト提示部１３０は、ソート・絞り込み部１２０から受信した各コンテンツＣにもとづいて、要約リストＢ（複数のコンテンツを束ねた要約情報Ｂ）を生成し、送信する。要約リスト提示部１３０は、生成した要約リストＢを、表現エンジン部１４０へ送信する。
【００３５】
表現エンジン部１４０は、受信した要約リストＢ、または後述する詳細コンテンツにもとづいて、ユーザへ提示するための音声データ、および表示用データを生成する。表現エンジン部１４０は、生成したデータをＵＸ制御部１０１へ送信し、要約リストＢまたは詳細コンテンツを、スピーカ１０２およびタッチパネル１０４からユーザに提示させる。
【００３６】
要約リストＢは、１つ以上のコンテンツＣを端的に提示できるように、１つ以上のコンテンツＣのキーワードＫを含む。また、要約リストＢは、キーワードＫの代わりに、所定の文字数以内の表示用テキストである概要Ｓを含んでもよい。
【００３７】
図３は、端末１０で要約情報提示動作が実行されるときの、音声出力および表示画面の遷移の一例を示す説明図である。なお、要約情報提示動作は後述するＳ１２３において実行される。
【００３８】
まず、図３（ａ）では、要約リストＢとして、３つのコンテンツＣの概要Ｓが表示されると共に、要約リストＢの全体を説明するメッセージ「最新のニュースを３つお話しします。」が音声出力されている。次に、図３（ｂ）では、要約リストＢの最初のコンテンツＣの概要Ｓ「30円で印刷可能・・・」が強調表示されると共に、そのコンテンツＣのキーワードＫ「１つ目は証明写真アプリ」が音声出力されている。その後、図３（ｃ）（ｄ）に示すように、要約リストＢの２つ目、３つ目のコンテンツＣの概要Ｓが強調表示されると共に、そのコンテンツＣのキーワードＫが音声出力される。
【００３９】
詳細には、要約リスト提示部１３０は、要約リスト生成処理において、ソート・絞り込み部１２０から受信したコンテンツＣのキーワードＫまたは概要Ｓの数を取得する。図３の例では、要約リスト提示部１３０は、受信したコンテンツＣの数が３個であることを取得し、これにもとづいて、「最新のニュースを３つお話しします。」という全体を説明する音声メッセージの文字列（全体メッセージ文字列）を生成する。また、要約リスト提示部１３０は、コンテンツＣのそれぞれのキーワードＫおよび要約リストＢにおける順番を取得し、これに基づいて、各コンテンツＣのキーワードＫを含む音声メッセージの文字列を生成する。
【００４０】
なお、音声出力されるキーワードＫは、コンテンツＣのキーワードの全てであってもよいし一部であってよい。具体的には、ソート・絞り込み部１２０は、キーワードＫごとに付与されている知名度指数、およびユーザ関心度指数にもとづいてキーワードＫをソートし、所定個数内の上位のキーワードＫを音声出力するものとして抽出してもよい。これにより、ユーザが関心を持つキーワードＫを優先して提示することができる。また、発話に要する時間を基準にしてキーワードＫを選別してもよい。また、要約リストＢにおけるコンテンツＣ同士の差異が際立つように、キーワードＫを選別してもよい。これにより、ユーザがより迅速に判断できるように、提示するキーワードＫを選別することができる。従って、ユーザが提示された複数のニュースを聞き直す操作を行う手間を抑制することができ、また、ユーザが聞き逃さないように留意する心理的負担を軽減することができる。
【００４１】
また、要約リスト提示部１３０は、コンテンツＣを取得する際に指定された所定の期間を取得し、例えば「１時間以内のニュースをお伝えします」と出力するように、全体メッセージ文字列へ反映してもよい。
【００４２】
また、ソート・絞り込み部１２０がユーザ関心度指数を用いてコンテンツＣをソートしたとき、要約リスト提示部１３０は、その旨を含む全体メッセージ文字列を生成してもよい。これにより、ユーザは、どのように絞り込みおよびソートが行われたのかを認識することができる。従ってユーザは、絞り込みおよびソートの方法が自身の希望に沿っているかを判別し、以後提示される内容を聞き続けるか否かを選択することができる。
【００４３】
選択受付部１５０は、要約リスト提示部１３０が提示した要約リストＢからユーザがコンテンツを一つまたは複数指定するユーザ入力を受付ける。具体的には、選択受付部１５０は、ＵＸ制御部１０１から受信した音声入力、またはタッチ操作の少なくとも一方からなるユーザからの選択入力（ユーザ入力）を受付け、ユーザが選択したコンテンツ（詳細提示コンテンツ群）を決定する。
【００４４】
選択受付部１５０は、決定した詳細提示コンテンツ群を詳細提示部１６０へ送信する。
【００４５】
詳細提示部１６０は、取得部１１０から、選択されたコンテンツＣの詳細（キーワードＫおよび概要Ｓを作成した元の情報）を受信し、要約リスト提示部１３０が提示したコンテンツＣのうち選択されたコンテンツ（詳細コンテンツ）を、順に提示する。各コンテンツＣの表示順序は、ソート・絞り込み部１２０がソートを行った結果得られた順序のままであってよい。
【００４６】
図４に、コンテンツＣの１つの詳細が表示されている例を示す。図４では、図３（ａ）〜（ｄ）において、要約リストＢの上から１番目に表示されていた概要Ｓ（すなわち、最初に音声出力されたキーワードＫ）に対応するコンテンツＣの詳細が表示されている。
【００４７】
要約リストＢからユーザによって選択された各コンテンツＣの全ての詳細コンテンツを提示し終えたとき、詳細提示部１６０は、終了処理を行う。具体的には、要約リスト提示部１３０が生成した要約リストＢを消去する。このとき、取得部１１０が取得したコンテンツＣのすべてを消去してもよいし、詳細コンテンツを表示したコンテンツＣのみを削除して、他のコンテンツＣは次回表示できるように端末１０に保持してもよい。また、新鮮度が所定値以上であるコンテンツＣのみ保持してもよい。
【００４８】
〔動作〕
図５は、本発明の実施形態１に係る要約情報提示動作のシーケンス図である。図５を用いて、Ｓ１０１からＳ１２９までの各ステップの概要を説明する。なお、破線で示したブロックは付加的な動作を示す。
【００４９】
Ｓ１０１において、要約部２１０は、コンテンツＤＢ３０から各コンテンツＣを取得し、コンテンツＤＢから取得可能なコンテンツＣのうち未だコンテンツ固有要約情報ＣＳが生成されていないコンテンツＣから、コンテンツ固有要約情報ＣＳ、すなわち各コンテンツＣのキーワードＫまたは概要Ｓを生成する。
【００５０】
Ｓ１０３において、知名度指数付与部２２０は、生成されたキーワードＫの検索ヒット数やＳＮＳ（ソーシャルネットワークサービス）上で取り上げられる頻度を取得し、これらにもとづいて、コンテンツごとの知名度指数を各コンテンツＣに付与してもよい。
【００５１】
Ｓ１０７において、ＵＸ制御部１０１は、ユーザから、コンテンツＣの取得を指示する操作入力を受付ける。取得を指示する操作入力は、例えば、タッチパネル１０４において下に引っ張るスライド操作であってもよく、音声入力であってもよい。なお、操作入力が行われるとき、チェックボックスなどでコンテンツＣの一部が指定されていてもよい。
【００５２】
Ｓ１０９において、取得部１１０は、ＵＸ制御部１０１から取得指示を受付け、前記取得指示に基づいて配信部２３０へ通信部１０５を介して取得要求を送信する。
【００５３】
Ｓ１１１において、配信部２３０は、取得要求を受付ける。
【００５４】
Ｓ１１３において、取得要求を受付けた配信部２３０は、未配信のコンテンツＣを、通信部１０５を介して取得部１１０へ配信する。このとき、配信部２３０は、コンテンツＣとともに、付加されたコンテンツ固有要約情報ＣＳおよび知名度指数を取得部１１０へ送信する。なお、取得要求にコンテンツＣの指定が含まれる場合には、当該指定されたコンテンツＣを配信する。
【００５５】
Ｓ１１５において、取得部１１０は、コンテンツＣと、それに付加されたコンテンツ固有要約情報ＣＳおよび知名度指数を取得する（取得ステップ）。
【００５６】
Ｓ１１７において、取得部１１０は、取得した各コンテンツＣへ、ユーザ関心度指数を付与してもよい。その後、ソート・絞り込み部１２０は、ユーザ関心度指数を取得してもよい。
【００５７】
Ｓ１１９において、ソート・絞り込み部１２０は、所定の手続きに従って取得部１１０から受信したコンテンツＣをソートし、所定の件数に収まるように絞り込みを行う。具体的には、後述するステップＳ１２１において作成する要約リストＢの数を制限する。ソート・絞り込み部１２０が行う絞り込みの具体例については、後述する。
【００５８】
なお、要約リスト提示部１３０または詳細提示部１６０は、制御装置１００内部の図示しないＤＢに、ユーザへ既に提示したコンテンツＣのＩＤ、またはＵＲＬを保存してもよい。上記の場合、ソート・絞り込み部１２０は、ユーザへ未だ提示されていないコンテンツＣのみを提示する。これにより、ユーザは重複を考慮せずに要約リストＢを聞き取ることができるため、ユーザへ与える心理的負担を軽減できる。
【００５９】
Ｓ１２１において、要約リスト提示部１３０は、ソート・絞り込み部１２０から受信した各コンテンツＣ、および当該各コンテンツＣのキーワードＫ、または概要Ｓなど付随する情報にもとづいて、要約リストＢを生成し、送信する。
【００６０】
表現エンジン部１４０は、受信した要約リストＢにもとづいて、ユーザへ提示するための音声データを生成し、ＵＸ制御部１０１へ送信する。なお、表現エンジン部１４０は、受信した要約リストＢにもとづいて表示用データを生成し、ＵＸ制御部１０１へ送信する。
【００６１】
Ｓ１２３において、ＵＸ制御部１０１は、表現エンジン部１４０から受信した音声データをスピーカ１０２へ送信し、音声出力させる。すなわち、ユーザへ要約リストＢを提示する（要約情報提示ステップ）。なお、ＵＸ制御部１０１は、表現エンジン部１４０から受信した表示用データをタッチパネル１０４へ送信し、表示させてもよい。複数のコンテンツＣのコンテンツ固有要約情報ＣＳを束ねた要約リストＢが提示されることにより、複数のコンテンツＣが略同時に提示される。ユーザは、複数のコンテンツＣの全ての情報を取得することなしに、どのような選択肢が有るのかを認識したうえで、複数のコンテンツＣのうち一部（または全部）を指定する入力を行うことができる。
【００６２】
Ｓ１２５において、ＵＸ制御部１０１は、マイク１０３から入力されたユーザからの選択入力操作を受付け、選択受付部１５０へと送信する（選択受付ステップ）。なお、選択は複数のコンテンツに対して行われてもよく（複数指定）、また、１つのコンテンツに対して行われてもよい。
【００６３】
Ｓ１２７において、選択受付部１５０は、ＵＸ制御部１０１から受信したユーザからの選択入力を受付け、Ｓ１２３において提示されたコンテンツのうち、詳細（元のコンテンツＣ）を提示する一つまたは複数のコンテンツ（詳細提示コンテンツ群）を決定する。例えば、ユーザが「掃除機と還元をお願い」と音声指示を出したとき、ユーザへ提示したコンテンツのうち「掃除機」および「還元」とマッチするコンテンツ（図３（ａ）において上から２番目および３番目に概要Ｓが提示されているコンテンツ）を、ユーザから選択されたコンテンツＣと決定する。
【００６４】
なお、無操作であることを検知し、概要Ｓのみを連続して提示させてもよい。より具体的には、例えば、３０秒間など所定の選択入力受付期間を設け、選択受付部１５０が前記所定の選択入力受付期間内にユーザからの操作を検知しなかった場合、選択受付部１５０は、Ｓ１２３において提示されたコンテンツの全ての概要Ｓを連続して音声出力させるように決定してもよい。
【００６５】
選択受付部１５０は、決定したコンテンツＣを、詳細提示部１６０へ送信する。
【００６６】
なお、後述するＳ１２９において詳細が提示される順序を決定可能なように、選択受付部１５０は、Ｓ１２７において選択された順序を記録してもよい。例えば、選択受付部１５０は、ユーザがＳ１２５において「掃除機と還元をお願い」と音声指示を出したとき、掃除機に関する概要Ｓ（図３（ａ）において上から３番目に概要Ｓが提示されているコンテンツ）をＳ１２９において第１に提示するものとして記録する。次に、選択受付部１５０は、還元に関する概要Ｓ（図３（ａ）において上から２番目に概要Ｓが提示されているコンテンツ）をＳ１２９において第２に提示するものとして記録する。
【００６７】
Ｓ１２９において詳細提示部１６０は、Ｓ１２１においてコンテンツ固有要約情報ＣＳが提示されたコンテンツＣのうち選択されたコンテンツＣを順に提示するように、表現エンジン部１４０へコンテンツＣの詳細（詳細コンテンツ）を送信する（詳細提示ステップ）。なお、詳細提示部１６０は、取得部１１０から、選択されたコンテンツＣの詳細を受信してもよい。
【００６８】
表現エンジン部１４０は、受信した詳細コンテンツにもとづいて、ユーザへ提示するための音声データを生成し、ＵＸ制御部１０１へ送信する。また、表現エンジン部１４０は、表示用データを生成し、ＵＸ制御部１０１へ送信してもよい。そして、ＵＸ制御部１０１は、受信した音声データに基づいて、スピーカ１０２を制御し、ユーザへの提示を行う。また、ＵＸ制御部１０１は、受信した表示用データに基づいて、タッチパネル１０４を制御し、ユーザへの提示を行ってもよい。
【００６９】
Ｓ１２１において提示されたコンテンツＣの全ての詳細コンテンツを提示し終えたとき、詳細提示部１６０は、終了処理を行う。具体的には、ＵＸ制御部１０１、および表現エンジン部１４０の動作を停止させ、要約リスト提示部１３０が生成した要約リストＢを消去し、ならびに、取得部１１０が取得したコンテンツ情報をリセットさせる。なお、詳細提示部１６０は、配信サーバ２０へ、どのコンテンツＣの詳細コンテンツをユーザが選択したかを、図示しない趣味嗜好データベースへ保存してもよい。これにより、ユーザがどのような趣味嗜好を好むのか、最新の情報を用いて趣味嗜好データベースを更新することができる。
【００７０】
なお、前述のＳ１１９においてソート・絞り込み部１２０が行う絞り込みの具体例は下記の通りである。例えば、ソート・絞り込み部１２０は、取得部１１０から受信したコンテンツＣを更新時刻（新鮮さ）にもとづいてソートし、最上位の、すなわち最新のコンテンツＣから、所定の順位（＝所定の件数）までのコンテンツＣを決定し、当該コンテンツＣのＩＤを要約リスト提示部１３０へ送信する。なお、前記所定の件数は、２、３など、２以上の数であってよい。人間が一度に並行処理可能な一般的な数（いわゆるマジックナンバー）以内であってよく、また、ユーザによって任意に設定され得る、それ以上の数であってもよい。
【００７１】
ソート・絞り込み部１２０は、知名度指数付与部２２０がコンテンツＣへ付与した知名度指数を加味してソートを行ってもよい。例えば、知名度指数と、新鮮度（例えば、コンテンツＣの更新時刻から絞り込み処理が行われる時刻までに経過した時間の逆数）との積にもとづいてソートしたのち、順位が最上位のコンテンツＣから所定の順位までのコンテンツＣを絞り込んでもよい。これにより、更新時刻が古すぎるニュースや世間の関心が低いニュースを排除し、世間の関心が高いニュースを知名度指数と、ユーザ関心度指数と、新鮮度との積にもとづいてソートしてもよい。また、それぞれに異なる重みづけをしてソート・絞り込み処理が行われる構成であってもよい。あるいは処理に順序を付けてもよく、例えば、ユーザ関心度指数を用いて第２の所定の順位までの粗絞り処理を行った後、知名度指数を用いて第３の所定の順位まで絞りこみ、最後に新鮮度を用いて所定の順位まで絞り込んでもよい。ユーザが自身の趣味嗜好と、世間での知名度と、コンテンツの新鮮さのいずれを重視するかはユーザに依る部分が大きい。
【００７２】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００７３】
本実施形態２は、所定の時間、例えば１分間に読み上げられる数だけのキーワードＫを含む要約リストＢを作成する点が、実施形態１との主な相違点である。
【００７４】
図６は、端末１０で要約情報提示動作が実行されるときの、音声出力および表示画面の遷移の一例を示す説明図である。
【００７５】
図６（ａ）では、要約リストＢとして、６つのコンテンツＣの概要Ｓが表示される。これと共に、まず、要約リストＢの全体を説明するメッセージ「最新のニュースを１分間お知らせします。」が音声出力される。続いて、要約リストＢに含まれるコンテンツＣのキーワードＫのメッセージが順に音声出力される。音声出力が１分間に収まる最後のコンテンツＣのキーワードＫのメッセージが音声出力された後、終了のメッセージ「以上です。」が音声出力される。なお、図６（ａ）には画面内に収まる６つのコンテンツＣのみが提示されているが、画面内に収まらないコンテンツについて音声出力が行われてもよい。
【００７６】
次に、ユーザは、図６（ａ）の音声出力および画面表示を確認し、タッチパネル１０４を操作して、詳細の提示を希望するコンテンツＣを選択する。図６（ｂ）に示すように、選択されたコンテンツＣは色が変化し、チェックマークが付与されている。なお、実施形態１と同様、音声により選択入力が行われてもよい。
【００７７】
次に、図６（ｃ）に示すように、詳細提示部１６０は、選択されたコンテンツＣを順に提示する。なお、図６（ｃ）ではタッチパネル１０４に表示される場合を例に挙げたが、実施形態１と同様、音声により提示されてもよい。
【００７８】
〔変形例〕
図３（ａ）〜（ｄ）や、図６（ａ）、図６（ｂ）などのように、要約リストＢが表示さているとき、コンテンツＣの概要Ｓ（正確には、概要Ｓと対応付けて表示されている画面要素）を、スライド操作で上下入れ替える操作を受付け、端末１０の最も上部にある概要Ｓから順にユーザへコンテンツＣを提示してもよい。これによりユーザは、視聴したいコンテンツＣの順序を直感的に操作することができる。
【００７９】
Ｓ１１７において、端末１０のソート・絞り込み部１２０が、ユーザの趣味嗜好を反映したユーザ関心度指数を付与する動作を行うように記載したが、これに限定されるものではない。例えば、端末１０のソート・絞り込み部１２０が前記動作を行うことに代えて、配信サーバ２０が、ユーザの趣味嗜好を反映したユーザ関心度指数を付与してもよい。これにより、配信サーバ２０は、配信前にあらかじめ、ユーザの趣味嗜好を反映したユーザ関心度指数を付与することができる。従って、端末１０において当該処理を行う必要がなく、計算負荷の減少および高速な処理が期待できる。この場合、詳細提示部１６０はＳ１２９において終了処理を行うとき、どのコンテンツＣの詳細コンテンツをユーザが選択したかを配信サーバ２０へ送信してもよい。これにより、配信サーバ２０において、ユーザがどのような趣味嗜好を好むのかの最新の情報を用いて趣味嗜好データベースを更新することができる。
【００８０】
説明を単純化するため、ソート・絞り込み処理において知名度指数およびユーザ関心度指数は、その平均値がコンテンツＣごとに扱われるものとしたが、各コンテンツＣの有するキーワードＫごとに処理が行われるものであってもよい。これにより、例えば知名度が低いキーワードによる結果は重みづけを低くするなど、キーワード単位での絞り込みやソートを行うことができ、ユーザが重視するコンテンツをより適切に提示することができる。これによりユーザへ与える心理的負担を減少させることができる。
【００８１】
〔ソフトウェアによる実現例〕
制御装置１００の制御ブロック（特に取得部１１０、ソート・絞り込み部１２０、要約リスト提示部１３０、表現エンジン部１４０、選択受付部１５０、詳細提示部１６０）は、集積回路（ＩＣチップ）等に形成された論理回路（ハードウェア）によって実現してもよいし、ソフトウェアによって実現してもよい。
【００８２】
後者の場合、制御装置１００は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８３】
〔まとめ〕
本発明の態様１に係る制御装置は、ユーザにコンテンツを提示する電子機器を制御する制御装置であって、複数のコンテンツと、各コンテンツの要約情報とを取得する取得部と、取得した複数のコンテンツの要約情報を音声出力する要約提示部と、音声出力した前記要約情報に基づいて、前記コンテンツを指定するユーザ入力を受付ける選択受付部と、選択を受付けたコンテンツを提示する詳細提示部と、を備える。
【００８４】
上記の構成によれば、どのようなコンテンツが取得可能であるかを音声によってユーザは簡単に知ることができる。ユーザは当該複数のコンテンツの全ての情報を取得する必要が無いため、ユーザへの負担を限定することができる。
【００８５】
本発明の態様２に係る制御装置は、上記態様１において、要約リスト提示部は、前記要約情報を音声出力するのと略同時に、当該要約情報をリスト表示してもよい。
【００８６】
上記の構成によれば、ユーザが音声出力を聞き取る間に、その内容を視覚的に表示することができる。従って、ユーザへ与える負担を低減させることができる。
【００８７】
本発明の態様３に係る制御装置は、上記態様１または２のいずれかにおいて、前記選択受付部は、前記コンテンツを一つまたは複数指定するユーザ入力を受付けてもよい。
【００８８】
上記の構成によれば、ユーザから複数のコンテンツの指定を受付けることができる。そのため、ユーザは、自身が関心を持つコンテンツのみを複数取得できる。このとき、ユーザが自ら指定した複数のコンテンツのみの詳細が提示されるため、ユーザは詳細が提示されるコンテンツを予め知っているので、ユーザに与える心理的負担を低減させることができる。
【００８９】
本発明の態様４に係る制御装置は、上記態様３において、前記詳細提示部は、前記選択受付部が受付けた順に、前記コンテンツを提示してもよい。
【００９０】
上記の構成によれば、ユーザは、選択した順にコンテンツの内容を取得できる。これにより、ユーザは、別途順序を選択する必要がなく、簡便にコンテンツを取得することができる。
【００９１】
本発明の態様５に係る制御装置は、上記態様１から４のいずれかにおいて、前記要約情報は、前記コンテンツの概要を示す文章またはキーワードであってもよい。
【００９２】
本発明の態様６に係る電子機器の制御方法は、ユーザにコンテンツを提示する電子機器の制御方法であって、複数のコンテンツと、各コンテンツの要約情報とを取得する取得ステップと、取得した複数のコンテンツの要約情報を音声出力する要約情報提示ステップと、音声出力した前記要約情報に基づいて、前記コンテンツを指定するユーザ入力を受付ける選択受付ステップと、選択を受付けたコンテンツを提示する詳細提示ステップと、を含む。上記の構成によれば態様１と同様の効果を奏する。
【００９３】
本発明の各態様に係る制御装置は、コンピュータによって実現してもよく、この場合には、コンピュータを上記制御装置が備える各部（ソフトウェア要素）として動作させることにより上記制御装置をコンピュータにて実現させる制御装置の制御プログラム、およびそれを記録したコンピュータ読み取り可能な記録媒体も、本発明の範疇に入る。
【００９４】
本発明の態様７に係る電子機器は、上記態様１から５のいずれかの制御装置と、少なくとも１つのスピーカと、少なくとも１つの表示装置と、少なくとも１つの記憶装置とを備える。上記の構成によれば態様１から５と同様の効果を奏する。
【００９５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９６】
１      コンテンツ提示システム
１０    端末
１００  制御装置
１０１  ＵＸ制御部
１０２  スピーカ
１０３  マイク
１０４  タッチパネル（表示装置）
１１０  取得部
１２０  ソート・絞り込み部
１３０  要約リスト提示部（要約提示部）
１４０  表現エンジン部
１５０  選択受付部
１６０  詳細提示部
２０    配信サーバ
２１０  要約部
２２０  知名度指数付与部
２３０  配信部
３０    コンテンツＤＢ（データベース）
Ｃ      コンテンツ
ＣＳ    コンテンツ固有要約情報
Ｂ      要約リスト
Ｋ      キーワード
Ｓ      コンテンツの概要
【図１】
2020184105.tif 000003
【図２】
2020184105.tif 000004
【図３】
2020184105.tif 000005
【図４】
2020184105.tif 000006
【図５】
2020184105.tif 000007
【図６】
2020184105.tif 000008